(57)【要約】【課題】誘電体バリア放電ランプのパルス動作のための代替的な回路装置を提供する。【解決手段】第１のスイッチ分岐および第２のスイッチ分岐を有し、各スイッチ分岐はスイッチと電流弁とインダクタンスとからなる直列回路を包含し、直列回路の中心点と接続されているインダクタンスを有するランプ分岐を有し、インダクタンスの自由な端子は放電ランプの第１の端子との接続のために設けられており、全部で３つのインダクタンスの内の２つまでが０値を取ることができる。【選択図】図１
2007027133.tif 000002
【特許請求の範囲】
【請求項１】
チョークトランスを備えた放電ランプのパルス動作のための回路装置において、
−第１のスイッチ分岐および第２のスイッチ分岐を有し、各スイッチ分岐はスイッチ（Ｓ１，Ｓ２）と電流弁（Ｄ１，Ｄ２）とインダクタンス（Ｌ１，Ｌ２）とからなる直列回路を包含し、
−前記直列回路の中心点と接続されているインダクタンス（Ｌ）を有するランプ分岐を有し、該インダクタンス（Ｌ）の自由な端子は放電ランプ（ＥＬ）の第１の端子との接続のために設けられており、
−全部で３つのインダクタンス（Ｌ，Ｌ１，Ｌ２）の内の２つまでが０値を取ることができることを特徴とする、回路装置。
【請求項２】
回路装置の一定の電位は前記放電ランプ（ＥＬ）の第２の端子との接続のために設けられている、請求項１記載の回路装置。
【請求項３】
−第３のスイッチ分岐および第４のスイッチ分岐からなる付加的な直列回路を有し、該付加的な直列回路は前記第１のスイッチ分岐および前記第２のスイッチ分岐からなる前記直列回路に並列に接続されており、前記第３のスイッチ分岐および前記第４のスイッチ分岐はスイッチ（Ｔ３，Ｔ４）と電流弁（Ｄ３，Ｄ４）とインダクタンス（Ｌ３，Ｌ４）とからなる直列回路をそれぞれ有し、
−前記付加的な直列回路の中心点と接続されているインダクタンス（Ｌ'）を有し、該インダクタンス（Ｌ'）の自由な端子は前記放電ランプ（ＥＬ）の第２の端子との接続のために設けられており、
−３つ全てのインダクタンス（Ｌ'，Ｌ３，Ｌ４）が０値を取ることができる、請求項１記載の回路装置。
【請求項４】
放電ランプ（ＥＬ）との接続のために設けられている端子に関して対称的に構成されている、請求項３記載の回路装置。
【請求項５】
４つの前記電流弁（Ｄ１〜Ｄ４）がスイッチ分岐から除去され、２つの電流弁（Ｄ５，Ｄ６）に置換されており、該２つの電流弁（Ｄ５，Ｄ６）は、全部で４つのスイッチ分岐を有する２つの直列回路からなる並列回路へ２つの給電線にそれぞれ１つずつ設けられている、請求項３または４記載の回路装置。
【請求項６】
放電ランプ（ＥＬ）との接続のために設けられている端子と接続されているコンデンサ（Ｃ）が設けられている、請求項３から５までのいずれか１項記載の回路装置。
【請求項７】
前記コンデンサ（Ｃ）が２つのコンデンサ（Ｃ１，Ｃ２）からなる直列回路に置換されており、該直列回路の中心点は回路装置の一定の電位と接続されている、請求項６記載の回路装置。
【請求項８】
前記電流弁（Ｄ１〜Ｄ６）はダイオードとして実施されている、請求項１から７までのいずれか１項記載の回路装置。
【請求項９】
前記スイッチ（Ｔ１〜Ｔ８）はトランジスタとして実施されている、請求項１から８までのいずれか１項記載の回路装置。
【請求項１０】
前記インダクタンス（Ｌ１〜Ｌ４）は前記スイッチ分岐においてチョークとして実施されている、請求項１から９までのいずれか１項記載の回路装置。
【請求項１１】
前記インダクタンス（Ｌ，Ｌ'）はランプ分岐においてチョークとして実施されている、または適切なリード線インダクタンスを有するリード線として実施されている、請求項１から１０までのいずれか１項記載の回路装置。
【請求項１２】
前記スイッチ分岐において２つまたはそれ以上のスイッチ（Ｔ１〜Ｔ４；Ｔ５〜Ｔ８）が直列に接続されており、同期して動作する、請求項１から１１までのいずれか１項記載の回路装置。
【請求項１３】
請求項１から１２までのいずれか１項記載の回路装置と誘電体バリア放電ランプ（ＥＬ）とを備え、該バリア放電ランプ（ＥＬ）の２つの端子は該２つの端子のために設けられている前記回路装置の端子と接続されている、照明システム。
【発明の詳細な説明】
【技術分野】
【０００１】
本発明は、チョークトランスを備えた放電ランプのパルス動作のための回路装置ならびに該回路装置および誘電体バリア放電ランプを備えた照明システムに関する。
【０００２】
ここで「誘電体バリア放電ランプ」とは一般的なものと解されるべきである。すなわち人間の目に可視である電磁スペクトルの領域において放射するランプのみに制限されるものではない。むしろここでは付加的にこの領域を上回る、もしくは専らこの領域を上回る、殊に紫外線領域および真空紫外線領域においても放射する、誘電体バリア放電ランプを基礎とした放射器も含まれている。
【０００３】
電気技術的な見解から、誘電体バリア放電ランプは誘電体バリアに基づき主に容量性の特性を有する。したがって通常の場合簡単な代替回路図として、第１のコンデンサと、第２のコンデンサおよび抵抗からなる直列回路とからなる並列回路が想定される。誘電体バリア放電ランプがまだ点弧されていない場合、抵抗は実際のところ無限に大きい。すなわち差し当たり第１のコンデンサのみが作用する。しかしながらランプが点弧されると即座に抵抗は有限値を取り、したがって直列接続されている第２のコンデンサと共に作用する。容量性の構成素子に基づき、誘電体バリア放電ランプは時間的に変化する電圧、例えば正弦波電圧、殊に有利には特許文献１の意味におけるパルス状の電圧でもってのみ駆動することができる。
【０００４】
本発明によるチョークトランスは特許文献１の意味における誘電体バリア放電ランプをパルス動作させるために使用される。
【背景技術】
【０００５】
誘電妨害型のバリア放電ランプ（誘電妨害型ランプまたは静止型放電ランプとも称される）は、例えば特許文献２または特許文献３からそれ自体公知のものである。この放電ランプは、反復的に高電圧を放電ランプに印加することができるバランによって駆動されなければならない。しかしながら本発明は、反復的に形成される電圧パルスを用いて駆動させることができる他のランプタイプためのバランに関するものであり、このようなバランにおいては誘電妨害型の放電ランプのように容量性の特性が主流である。その限りにおいては「誘電体バリア放電ランプ」の概念がこの種のランプに対しても一般的なものであると解することができ、また殊に、少なくとも１つの電極が放電容器外に配置されている全ての放電ランプが含まれる。特許文献４からは、誘電体バリア放電ランプのパルス動作のための妨害型トランスとも称されるクラスＥのトランスが公知である。変圧器ないし入力側コイルに対して必要とされるコアの体積がランプ出力と共に大きくなることは欠点である。さらには、接続されているランプを減光することができる範囲が比較的小さい。
【特許文献１】ＵＳ  ５  ６０４  ４１０
【特許文献２】ＵＳ−Ａ  ５  ９９４  ８４９
【特許文献３】ＵＳ−Ａ  ６  ０９７  １５５
【特許文献４】ＥＰ  ０  ９２７  ５０６  Ｂ１
【発明の開示】
【発明が解決しようとする課題】
【０００６】
上記の点を鑑み、本願発明の課題は、誘電体バリア放電ランプのパルス動作のための代替的な回路装置ならびにこの種の回路装置を備えた照明システムを提供することである。
【課題を解決するための手段】
【０００７】
回路装置に関する課題は、回路装置が、第１のスイッチ分岐および第２のスイッチ分岐を有し、各スイッチ分岐はスイッチと電流弁とインダクタンスとからなる直列回路を包含し、直列回路の中心点と接続されているインダクタンスを有するランプ分岐を有し、インダクタンスの自由な端子は放電ランプの第１の端子との接続のために設けられており、全部で３つのインダクタンスの内の２つまでが０値を取ることができることによって解決される。
【０００８】
照明システムに関する課題は、請求項１から１２までのいずれか１項記載の回路装置と誘電体バリア放電ランプとを備え、バリア放電ランプの２つの端子はこの２つの端子のために設けられている回路装置の端子と接続されていることによって解決される。
【発明を実施するための最良の形態】
【０００９】
殊に有利な実施形態は従属請求項に記載されている。
【００１０】
本発明の基本的な着想は、誘電体バリア放電ランプのパルス動作用の従来のトランスコンセプトの変圧器を省略し、その代わりに誘電体バリア放電ランプに直接少なくとも１つのインダクタンスを設けることである。この際、ランプはアクティブな構成素子によって調節可能な時間にわたり供給電圧部と接続され、続いて双方向にこの供給電圧部から切り離される。さらには、本発明による回路装置は調節可能な時間にわたり、供給電圧よりも高くてよい電圧を誘電体バリア放電ランプに印加することができる。
【００１１】
本発明によれば前述のインダクタンスは通常の場合チョークによって実現されており、したがって分かり易くするために以下では冒頭で述べた概念「チョークトランス」を用いる。もっとも前述のインダクタンスは場合によっては、リード線のインダクタンスが十分に大きい場合にはランプリード線のインダクタンスによっても実現することができる。しかしながら通常の場合、少なくとも１つの付加的なチョークが必要とされる。
【００１２】
チョークは変圧器よりも廉価なので、変圧器を省略することによって殊にコストに関する利点が得られる。さらには、ここで使用されるチョークはクラスＥトランスに比べて典型的には寸法が６〜１０倍小さいので、回路装置はさらに小型になる。インダクタンスの選択により、本発明によるチョークトランスを用いてパルス幅を妥協することなく電圧パルスの急峻な側縁を達成することができる。クラスＥトランスに比べて高い点弧電圧は電圧の共振的な振れによって達成することができる。最後に、ランプ電流は一時的に電圧供給より得られるので、ランプに供給されるエネルギの誘導性構成素子への完全な中間的な蓄積は必要とされない。したがって、本発明による回路装置における誘導性構成素子を比較的小さく寸法設計することができる。１つ以上のチョークを選択的に使用することによって、ランプにおける電圧パルスの立上り縁および立下り縁を相互に依存せずに相応のインダクタンス値によって調節することができるという利点が提供される。これに関して、またさらなる詳細については図面を説明する際に詳細に説明する。
【００１３】
一般的に本発明による回路装置は大まかに２つのクラスに分割することができる。第１の実施形態はパルス形成に関して原理的に、給電源より給電される２つの直列のスイッチ分岐を使用し、これらのスイッチ分岐は交番的に一種のハーフブリッジのように切り換えられている、ないし制御され、したがって以下では分かり易くするためにハーフブリッジチョークトランスと称する。各スイッチ分岐は１つまたは複数の直列接続されているスイッチ、例えばトランジスタ、殊にＦＥＴ（電界効果トランジスタ）、ＩＧＢＴ（絶縁ゲートバイポーラトランジスタ）などのような制御可能な半導体スイッチを包含する。複数のスイッチの直列回路によって、高い電圧安定度が必要とされるというこの実施形態における原理的な問題を緩和することができる。さもなければ、ここでは典型的には約２ｋＶの阻止電圧に耐える高阻止型のスイッチが必要とされる。
【００１４】
第１のスイッチ分岐を用いることにより、放電ランプは短時間チョークを介して給電部と接続される（第１のスイッチ分岐の状態：「閉成」）。この際電流パルスがチョークおよびランプを流れる（ランプが点弧されていない限り単に変位電流として）。その後ランプは電流の０通過時に再び給電部から切り離される（第１のスイッチング分岐の状態：「開成」）。続いて（選択的に調節可能な休止時間後に）、第２のスイッチ分岐を用いることにより、ランプおよびコイルからなり給電部から切り離されている電流回路が閉じられ、逆の極性の電流パルスがコイルおよびランプを流れる。その後この電流回路は電流の０通過時に再び遮断される（第２のスイッチ分岐の状態：「開成」、実際のスイッチは例えば環流ダイオードが組み込まれたＭＯＳＦＥＴであり、「逆阻止」は直列に接続されている電流弁、例えばダイオードを用いる）。続いて（選択的に調節可能な休止時間後に）、ランプは再びチョークを介して給電部と接続され、以降これが繰り返される。
【００１５】
第２の実施形態は、パルス形成のために原理的に２つの直列のスイッチ分岐を２つ使用し、この際常に、斜向かいのスイッチ分岐対が他方の斜向かいのスイッチ分岐対と交番的にフルブリッジのように制御され、したがって以下では分かり易くするためにフルブリッジチョークトランスと称する。すなわちこの場合にランプは交番的に斜向かいのスイッチ分岐対によって、また少なくとも１つのチョークを介して極性が変化しながら給電源と接続される。極性が変化するそのようにして形成される電流パルスを、ハーフブリッジの実施形態の場合と同様に、選択的に調節可能な休止時間によって相互に切り離すことができる。フルブリッジの実施形態においては、個々のスイッチの電圧負荷が相応に小さいが、もっとも一般的にはハーフブリッジの実施形態よりも２つ多いスイッチは必要とされる。ハーフブリッジチョークトランスと比べたフルブリッジチョークトランスの別の利点は、構成素子が相応に設計されていれば比較的少ない妨害電流しか流れないので、誘電体バリア放電ランプの妨害放射が比較的少ないことである。
【００１６】
フリーホイールダイオードが組み込まれているトランジスタ、例えばＭＯＳＦＥＴによって、スイッチ分岐内のスイッチが実施されている場合には、電流を一方向にしか流さない電流弁が各スイッチ分岐にそれぞれ１つずつ直列に接続されている。このようにして、この場合においてもスイッチ状態「開成」では両方の電流方向における阻止作用が保証されている。
【００１７】
以下では本発明を実施例に基づき詳細に説明する。
【実施例】
【００１８】
図１は本発明によるハーフブリッジチョークトランスの第１の実施形態の原理回路を示す。この回路は電流弁Ｄ１，Ｄ２、例えばダイオードならびにスイッチＳ１，Ｓ２、例えばトランジスタ、殊に電界効果トランジスタ（FET）ないしＭＯＳＦＥＴをそれぞれ１つずつ包含する２つの直列スイッチ分岐を有する。２つのスイッチ分岐からなる直列回路の中心点はランプ分岐と接続されており、このランプ分岐はチョークＬ並びにこのチョークＬに直列に接続されている誘電体バリア放電ランプＥＬを包含する。ランプ分岐は２つのスイッチ分岐のうちの一方に並列に接続されている。ランプを駆動させるために、２つのスイッチ分岐からなる直列回路の端子が給電源Ｕ0と接続されている。
【００１９】
図１に示した原理回路の機能を説明するために、以下では図２ａ〜２ｅに示されている信号経過を付加的に参照する。図２ａは２つのスイッチＳ１およびＳ２の制御信号を示す。図２ｂに示されているように、オン時間の間のみ、すなわち２つのスイッチＳ１，Ｓ２の内の一方のみが閉じられている時に、パルス状の電流ＩLがチョークＬを流れる。これに対し休止時間、すなわち２つのスイッチＳ１，Ｓ２のいずれも閉じられていない場合には電流はチョークＬを流れない。相応にランプ端子における電圧Ｕは、回路が最初にスイッチオンされた際、すなわち誘電体バリア放電ランプＥＬがまだ点弧されておらず、いわばコンデンサとして作用する場合に上昇する。理想的な場合、第１のスイッチＳ１が閉じられている間に電圧Ｕは給電電圧Ｕ0の２倍の値まで上昇する。その後電圧Ｕは、第２のスイッチＳ２が閉じられ、したがってパルス状の電流ＩLが再びチョークＬに流れるまでの休止時間の間は差し当たり一定に保たれるが、この際チョークＬを流れる電流ＩLは先行する電流パルスとは逆の極性を有する。したがってランプ電圧Ｕの極性も変わり、給電電圧Ｕ0の２倍の負の値になる。この電圧は続く休止時間の間再び一定に維持され、この状態は第１のスイッチＳ１が閉じられて、したがって極性が再度変わるまで続く。この過程は繰り返され、その結果、上昇する矩形状の電圧が生じるか、交番的な極性を有するパルス列が生じる。この際、電圧ＩLの振幅はパルス毎に大きくなり、この振幅はそれぞれ周期を有する電圧に相当する。この共振的な特性は、誘電体バリア放電ランプＥＬが点弧されるまで持続する。
【００２０】
点弧までのこのフェーズを短縮するために、休止時間を最適には０にセットすること、すなわち２つのスイッチＳ１，Ｓ２が間を置かずに交互に開閉し続けることは有利である。このようにして、共振的な電流振動ないし電圧振動が生じる。ランプの点弧までの休止時間を省略することによって、スイッチＳ１，Ｓ２およびダイオードＤ１，Ｄ２に対する電圧負荷も供給電圧に限定される。誘電体バリア放電ランプＥＬが依然として点弧されていない間は、電流パルスＩLが単なる変位電流として、未点弧の単なるコンデンサとして機能する誘電体バリア放電ランプＥＬを流れる。本発明によれば、誘電体バリア放電ランプＥＬが点呼されやいなや如何なる場合においても、休止時間が０よりも大きく設定され、これにより冒頭で述べたようなこのランプの効率的な動作様式が実現される。この定常動作状態が図２ｄにおいてはコイルＬを流れる電流ＩLに関して示されており、図２ｅにおいてはランプ電圧Ｕに関して示されている。定常動作状態においては、点弧された誘電体バリア放電ランプＥＬが振動共振を定常的な電流値ＩLSないし電圧値ＵSまで「抑制」する。さらにスイッチＳ１，Ｓ２は一般的に電流の無い状態でスイッチングされるので、スイッチング損は最小である。このためにスイッチオン時間は電流パルスよりも長い。
【００２１】
図３には図１に示したハーフブリッジチョークトランスの変形形態が示されている。この変形形態の機能は、交番的なパルス列、したがってランプ電圧Ｕの立上り縁および立下り縁が２つの異なるインダクタンスＬ１，Ｌ２によって決定されているという点のみが図２ａ〜２ｅを用いて説明した前述の機能とは異なる。このために図３ではチョークＬが２つのチョークＬ１ないしＬ２に分割されており、さらにはハーフブリッジチョークトランスの２つのスイッチ分岐内に組み込まれている、すなわちスイッチおよびダイオードに対してそれぞれ直列に接続されている。すなわち最終的には２つのコイルによって電圧の側縁を制御するためのさらなる自由度が得られる。回路技術的に図１の回路は形式上、２つのチョークＬ１，Ｌ２の２つのインダクタンス値Ｌ1，Ｌ2が等しい、すなわちＬ1＝Ｌ2である場合に相当する。この別の変形形態は図１に示した実施形態に比べて高い動作信頼度を示す。
【００２２】
最後に、３つのコイルを備えた図示していない第３の変形形態は図１および図３に示した実施形態の組み合わせと理解することができる。
【００２３】
図４は、図３に示した２つのチョークＬ１およびＬ２を有する本発明によるハーフブリッジチョークトランスの第２の変形形態の原理回路の具体的な実施例を示す。この回路は、３２型のＰＬＡＮＯＮ(R)（Fa. OSRAM GmbH；インターネットページのウェブリンク：http://www.osram.de/ueber_uns/umwelt/produkte/planon.html#を参照されたい）タイプの平面型誘電体バリア放電ランプを駆動させるために設けられている。したがって約２１３Ｗのシステム出力においては、６３１０Ｃｄ／ｍ2以上の発光ダイオードが実現され、また発光効率では例えば８．３Ｃｄ／Ｗ以上が実現される。つまり本発明によるチョークトランスを用いて達成される発光効率は現行のクラスＥチョークトランスよりも約３０％高い。２つのスイッチング回路はそれぞれスイッチとして、個々のトランジスタが約１４００Ｖの高入力電圧による負荷を受けないようにするために、型番１７Ｎ８０  ＣＯＯＬＭＯＳ（Fa. Infineon）の４つのＭＯＳＦＥＴ（金属酸化膜半導体電界効果トランジスタ）Ｔ１〜Ｔ４ないしＴ５〜Ｔ８を包含する。さらにこのタイプのトランジスタの導通損失およびスイッチング損失は小さい。例えばＳｉＣ（炭化ケイ素）技術による相応に高阻止型のスイッチングトランジスタが使用されるようになれば、将来的にはスイッチ分岐毎にただ１つのトランジスタでも場合によっては十分であろう。逆回復特性（ダイオードが所定の期間にわたり電流を阻止方向にも流す）に基づき、２つのダイオードＤ１，Ｄ２は同様にＳｉＣ技術により１２００Ｖの電圧および５Ａの電流に関して設計されている。ここでは２つのチョークＬ１，２がそれぞれ１０４μＨの同一のインダクタンスを有する。各スイッチ分岐の４つのトランジスタＴ１〜Ｔ４ないしＴ５〜Ｔ８はそれぞれ１つの制御矩形波発生器Ａ１，Ａ２を用いることにより、トランジスタ毎にそれぞれ１つのそれ自体公知のハイサイドドライバＨＴを介して制御される。
【００２４】
図５にはランプ電流ｉELをアンペア（Ａ）で表し、ランプ電圧ｕELをボルト（V）で表した所属の時間経過グラフが示されている。Ｙ軸の単位はマイクロ秒（μｓ）である。このグラフによれば電流パルスは約１μｓの持続時間および３６．３６ｋＨｚの繰り返し周波数を有する。サンプリング率は５０％である。この場合、回路効率は８５％以上である。図４による回路の７５２Ｗでの過負荷動作時には、２０，０００Ｃｄ／ｍ2以上の発光ダイオードが達成される。このために、それぞれ１４μＨのインダクタンス値を有する２つの同一のチョークが使用されており、また４７１ｐＦの容量を有するコンデンサがランプに並列に接続されている。電流パルスは６７．８ｋＨｚのパルス繰り返し周波数において０．６μｓの持続時間を有している。
【００２５】
図６は２つのチョークＬ１およびＬ２に関するインダクタンス値が等しくない、すなわち１０４μＨないし１４μＨである場合の相応の時間経過グラフを示す。
【００２６】
図７には、対照的なトポロジを有する本発明によるフルブリッジチョークトランスの第１の原理回路が示されている。結果として生じる対称的なランプ電圧は、誘電体バリア放電ランプが対称的な構造の場合、すなわち誘電性妨害型の２つの電極の面積が等しい場合に、ＥＭＶ（電磁的脆弱性）の観点から有利である。何故ならば、この場合電磁的な遠距離場は０だからである。ここでは誘電体バリア放電ランプＥＬがそれぞれ２つのスイッチ分岐を有するそれぞれ２つの直列回路の中心点間における２つのコイルＬ，Ｌ´を介してフルブリッジの方式で接続されている。４つのスイッチ分岐はそれぞれトランジスタＴ１〜Ｔ４およびダイオードＤ１〜Ｄ４からなる直列回路から構成されている。さらにランプＥＬに並列にコンデンサＣが接続されている。
【００２７】
図８ａ〜８ｃは図７による回路のスイッチングスキーマを示す。図８ａから見て取れるように、斜向かいに配置されているスイッチングトランジスタＴ１，Ｔ４ないしＴ２，Ｔ３は休止時間後に交番的に同期して閉じる。これによって、正ないし負の電流パルスＩLが形成され、この場合この電圧の振幅はＩL+ないしＩL-は等しい。したがって、０線に関して対称的な矩形状の電圧信号Ｕが誘電体バリア放電ランプＥＬの端子に生じる。中間回路電圧Ｕ0に関する電圧の上昇ΔＵ＝Ｕmax−Ｕ0を、チョークＬ１，Ｌ２ならびにコンデンサＣのインダクタンスを選択することにより制御することができる。ダイオードＤ１〜Ｄ４はトランジスタＴ１，Ｔ４ないしＴ２，Ｔ３が開かれる前は遮断されているので、トランジスタＴ１〜Ｔ４においてターンオフ損失は回避される。
【００２８】
図９は、図７に示したフルブリッジチョークトランスの変形形態を示す。ここでは図７に示したダイオードＤ１〜Ｄ４がスイッチ分岐から外れており、それぞれ１つの共通のダイオードＤ５ないしＤ６としてフルブリッジスイッチ分岐の共通の線路に接続されている。さらには、コンデンサＣが２つのコンデンサＣ１およびＣ２の直列回路に置換されており、その中心点はランプ電圧を対称なものにするために一定の電位、例えばアースに接続されている。ここでもまた、図７に関して既に説明したように、誘電体バリア放電ランプの対称的な構造において結果として生じる対称的なランプ電圧はＥＭＶの観点から有利である。
【００２９】
図１０は本発明によるフルブリッジチョークトランスの別の変形形態を示す。この変形形態は、各スイッチ分岐にさらに付加的にコイルＬ１〜Ｌ４接続されている点で図９に示した変形形態とは異なる。これによって、チョークＬ１およびＬ４のインダクタンスをコイルＬ２およびＬ３のインダクタンスと異なるように選択することによって、正および負の電流パルスの高さ、したがってランプに対する矩形状の電圧の側縁を種々に選択することができる。
【図面の簡単な説明】
【００３０】
【図１】本発明によるハーフブリッジチョークトランスの第１の実施形態の原理回路。
【図２ａ】誘電体バリア放電ランプの点弧前のフェーズならびに定常動作に関する図１による回路のスイッチングスキーマ。
【図２ｂ】誘電体バリア放電ランプの点弧前のフェーズならびに定常動作に関する図１による回路のスイッチングスキーマ。
【図２ｃ】誘電体バリア放電ランプの点弧前のフェーズならびに定常動作に関する図１による回路のスイッチングスキーマ。
【図２ｄ】誘電体バリア放電ランプの点弧前のフェーズならびに定常動作に関する図１による回路のスイッチングスキーマ。
【図２ｅ】誘電体バリア放電ランプの点弧前のフェーズならびに定常動作に関する図１による回路のスイッチングスキーマ。
【図３】本発明によるハーフブリッジチョークトランスの第２の実施形態の原理回路。
【図４】本発明によるハーフブリッジチョークトランスの第２の実施形態の具体的な回路例。
【図５】具体的に寸法設計された図４による回路例の電流および電圧の時間経過。
【図６】図４に対応する別の寸法設計の回路例に関する電流および電圧の時間経過。
【図７】本発明によるフルブリッジチョークトランスの第１の実施形態。
【図８ａ】図７によるフルブリッジチョークトランスの定常動作に関するスイッチングスキーマ。
【図８ｂ】図７によるフルブリッジチョークトランスの定常動作に関するスイッチングスキーマ。
【図８ｃ】図７によるフルブリッジチョークトランスの定常動作に関するスイッチングスキーマ。
【図９】本発明によるフルブリッジチョークトランスの第２の実施形態。
【図１０】本発明によるフルブリッジチョークトランスの第３の実施形態。
【図１】
2007027133.tif 000003
【図２ａ】
2007027133.tif 000004
【図２ｂ】
2007027133.tif 000005
【図２ｃ】
2007027133.tif 000006
【図２ｄ】
2007027133.tif 000007
【図２ｅ】
2007027133.tif 000008
【図３】
2007027133.tif 000009
【図４】
2007027133.tif 000010
【図５】
2007027133.tif 000011
【図６】
2007027133.tif 000012
【図７】
2007027133.tif 000013
【図８ａ】
2007027133.tif 000014
【図８ｂ】
2007027133.tif 000015
【図８ｃ】
2007027133.tif 000016
【図９】
2007027133.tif 000017
【図１０】
2007027133.tif 000018